(57)【特許請求の範囲】
【請求項１】
入力映像信号に所定の処理を施す映像信号処理手段と、
適宜の絵柄および色彩に対応する所定の信号を発生する所定信号発生手段と、
上記入力映像信号に同期する第１の同期信号を発生するものであって、上記入力映像信号と上記同期信号との位相差を検出する位相比較回路と、上記位相比較回路で検出された位相差に応じた比較誤差出力により出力発振周波数が制御される可変周波数発振回路とを含み、上記第１の同期信号を上記映像信号処理手段に供給する同期信号処理手段と、
上記所定信号発生手段に供給する第２の同期信号を発生する同期信号発生手段と、
上記入力映像信号処理手段の出力と、上記所定信号発生手段の出力との一方を、選択制御信号に応じて択一的に選択して出力信号とする信号選択手段と、
上記信号選択手段に供給する上記選択制御信号を生成する選択制御手段と、
を備える画像表示装置であって、
上記選択制御手段は、
上記入力映像信号の有無を検出する映像信号検出手段と、
上記位相比較回路からの上記比較誤差出力に基づいて、上記第１の同期信号が上記入力映像信号に同期する状態に引き込まれているかどうかを判別する判別手段と
を備え、
上記選択制御手段からの上記選択制御信号により、上記信号選択手段は、
上記映像信号検出手段で上記入力映像信号の不存在が検出されたときには、上記所定信号発生手段からの上記所定の信号を上記出力信号として選択するように制御され、
上記信号選択手段からの上記出力信号が上記所定の信号とされているときに上記映像信号検出手段で上記入力映像信号の存在が検出されたときには、上記判別手段で、上記第１の同期信号が上記入力映像信号に同期する状態に引き込まれたと判別した後に、上記出力信号として上記映像信号処理手段からの出力を選択するように制御される
ことを特徴とする画像表示装置。
【発明の詳細な説明】
【０００１】
【発明の属する技術分野】
この発明は、例えば、８ミリＶＴＲなどのデジタル信号処理部に好適な、画像表示装置に関する。
【０００２】
【従来の技術】
従来、８ミリＶＴＲのデジタル信号処理部においては、ＶＴＲの再生信号がない、あるいは、ライン入力信号がないなどの「無信号」の場合、システム制御回路からの制御信号に基づいて、映像信号処理系が非動作状態とされると共に、内部で生成された所定の信号が出力されて、受像機に、例えば、青一色の単調な画面、所謂「カラーバック」画面が映出され、画面上でノイズが覆い隠されると共に、無信号状態を視聴者に知らせるようになっている。
【０００３】
まず、図５および図６を参照しながら、従来の画像表示装置の構成例について説明する。
図５において、ラインからの輝度信号Ｙが、入力端子１１を経て、第１の切換えスイッチＳＷ１のＡ側固定接点に供給されると共に、色度信号Ｃが、入力端子１２を経て、第２の切換えスイッチＳＷ２のＡ側固定接点に供給される。また、ラインからの複合映像信号は、入力端子１３を経て、両スイッチＳＷ１，ＳＷ２の各Ｂ側固定接点に共通に供給される。
【０００４】
第１のスイッチＳＷ１の可動接点が、Ａ−Ｄ変換器１４を経て、第３の切換えスイッチＳＷ３のＬ側固定接点に接続されると共に、第２のスイッチＳＷ２の可動接点は、Ａ−Ｄ変換器１５を経て、第４の切換えスイッチＳＷ４のＬ側固定接点に接続される。
【０００５】
一方、再生磁気ヘッド２１の出力が、増幅回路２２を経て、高域フィルタ２３および低域フィルタ２４に共通に供給されて、輝度信号成分と色度信号成分とに分離される。
高域フィルタ２３からのアナログ輝度信号成分は、Ａ−Ｄ変換器２５を経て、デジタル化されてＲＦ復調回路２６に供給され、ＲＦ復調回路２６のベースバンドの復調出力が切換えスイッチＳＷ３のＶ側固定接点に供給される。
【０００６】
また、低域フィルタ２４からのアナログ色度信号成分は、Ａ−Ｄ変換器２７を経て、デジタル化されて色度デコーダ２８に供給され、色度デコーダ２８のベースバンドの出力が切換えスイッチＳＷ４のＶ側固定接点に供給される。
【０００７】
なお、第１および第２のスイッチＳＷ１，ＳＷ２と、第３および第４のスイッチＳＷ３，ＳＷ４とは、視聴者による、ライン入力またはＶＴＲ再生の選択に応じて、適宜に切り換えられる。
【０００８】
第３のスイッチＳＷ３の可動接点からのデジタル輝度信号は、輝度信号処理回路３１に供給されて、ノイズキャンセルや輪郭補正などの処理が施される。この処理回路３１は、輝度信号検出機能と色度信号除去機能とを備える。
【０００９】
処理回路３１から出力された輝度信号は、第５の切換えスイッチＳＷ５のＳ側固定接点および可動接点を経て、Ｄ−Ａ変換器３２に供給され、Ｄ−Ａ変換器３２からアナログ輝度信号Ｙが導出されると共に、この輝度信号Ｙが加算回路３３に供給される。
【００１０】
また、第４のスイッチＳＷ４の可動接点からのデジタル色度信号は、色度信号処理回路３４に供給されて、ＡＣＣやＡＣＫなどの処理が施される。この処理回路３４は、輝度信号除去機能を備える。
【００１１】
処理回路３４から出力された色度信号は、第６の切換えスイッチＳＷ６のＳ側固定接点および可動接点と色度エンコーダ３５とを経て、Ｄ−Ａ変換器３６に供給され、Ｄ−Ａ変換器３６からはアナログ色度信号Ｃが導出されると共に、この色度信号Ｃが加算回路３３に供給されて、加算回路３３からは複合映像信号が導出される。
【００１２】
そして、第５および第６のスイッチＳＷ５，ＳＷ６のＢ側固定接点には、カラーバック信号発生回路３９において生成されるデジタル輝度信号Ｙおよびデジタル色度信号Ｃが供給される。
【００１３】
第３のスイッチＳＷ３の可動接点からのデジタル輝度信号は、同期信号処理回路４０にも供給されて、この同期信号処理回路４０において生成された水平および垂直の駆動信号ＨＤ，ＶＤが、信号処理のタイミング基準として、色度デコーダ２８、輝度信号処理回路３１、色度信号処理回路３４、カラーバック信号発生回路３９に供給される。
【００１４】
更に、システム制御回路（マイクロコンピュータ）５１には、輝度信号処理回路３１において生成された輝度信号検出信号Ｓｄが供給され、この検出信号Ｓｄに基づいて、システム制御回路５１が、第５および第６のスイッチＳＷ５，ＳＷ６と、第７の切換えスイッチＳＷ７を制御する。
【００１５】
また、第７のスイッチＳＷ７のＳ側固定接点には、同期信号処理回路４０において生成されたクロックＣＫｖが供給されると共に、スイッチＳＷ７のＢ側固定接点に、クロック発生回路５２の固定クロックＣＫｘが供給される。
【００１６】
ラインまたはＶＴＲからの映像信号が存在する「有信号」状態では、第５〜第７のスイッチＳＷ５〜ＳＷ７が、図５に示すように、Ｓ側固定接点に接続されて、第５および第６のスイッチＳＷ５，ＳＷ６から、ラインまたはＶＴＲの映像信号に対応する輝度信号および色度信号が導出されると共に、第７のスイッチＳＷ７からは、同期信号処理回路４０によるクロックＣＫｖが導出される。
【００１７】
また、無信号状態では、第５〜第７のスイッチＳＷ５〜ＳＷ７の可動接点が、図示とは逆に、それぞれＢ側固定接点に切り換えられて、映像信号処理系が非動作状態とされ、第５および第６のスイッチＳＷ５，ＳＷ６から、カラーバック信号発生回路３９による輝度信号および色度信号が導出されると共に、第７のスイッチＳＷ７からは、発生回路５２による固定クロックＣＫｘが導出される。
【００１８】
そして、第７のスイッチＳＷ７から出力されるクロックは、次に詳述する同期信号処理回路４０内のカウンタに供給される。
【００１９】
図６に示すように、同期信号処理回路４０は、同期分離回路４１および位相比較回路４２と、２つのカウンタ４３，４４と、電圧制御発振回路（ＶＣＯ）４５とを含んで構成される。
【００２０】
ＮＴＳＣ方式の場合は、図６に示すように、第１のカウンタ４３の設定カウント数ＮPXが［９１０］とされると共に、第２のカウンタ４４の設定カウント数ＮLNが［５２５］とされる。
なお、ＰＡＬ方式の場合は、カウンタ４３の設定カウント数ＮPXが［９０８］とされると共に、カウンタ４４の設定カウント数ＮLNが［６２５］とされる。
【００２１】
前述のように、第３のスイッチＳＷ３からのデジタル輝度信号が同期分離回路４１および位相比較回路４２に共通に供給されると共に、第７のスイッチＳＷ７からのクロックが両カウンタ４３，４４に共通に供給される。
【００２２】
第１のカウンタ４３のカウント値がデコーダ４６においてデコードされて、水平駆動信号ＨＤが生成される。この水平駆動信号ＨＤは位相比較回路４２に供給され、生成された位相誤差信号Ｓｐが電圧制御発振回路４５に供給されて、ラインまたはＶＴＲによる映像信号にクロックＣＫｖがロック（位相同期）するように、その周波数（および位相）が制御される。
【００２３】
この周波数制御（ＡＦＣ）の方向は、ラインまたはＶＴＲからの映像信号の位相が水平駆動信号ＨＤの位相より早い場合に、電圧制御発振回路４５の周波数を上げる方向とされ、逆に、映像信号の位相が水平駆動信号ＨＤの位相より遅い場合には、電圧制御発振回路４５の周波数を下げる方向とされる。
【００２４】
また、デコーダ４６においては、水平駆動信号ＨＤの２倍の周波数のＨＨパルスも生成され、このＨＨパルスが、イネイブル信号として、カウンタ４４に供給される。
【００２５】
そして、ＮＴＳＣ方式の場合、カウンタ４４が５２５個のＨＨパルスを数えるたびに、換言すれば、１フィールドごとに、そのカウント値がデコーダ４７においてデコードされて、垂直駆動信号ＶＤが生成される。
【００２６】
なお、第２のカウンタ４４には、リセット信号として、同期分離回路４１から垂直同期信号Ｖsyncが供給されて、垂直駆動信号ＶＤの位相を入力映像信号に合わせるようにされる。
【００２７】
【発明が解決しようとする課題】
図５および図６に示すような、従来の画像表示装置では、前述のように、有信号状態と無信号状態とで、ラインまたはＶＴＲによる映像信号と、発生回路３９によるカラーバック信号とが、自動的に切り換えて導出される。
【００２８】
ところが、従来の画像表示装置では、無信号状態から有信号状態に切り替わる遷移期間に、色度デコーダ２８や色度信号処理回路３４の動作が過渡的に不安定となって、ラインまたはＶＴＲからの映像信号に対応する画像が乱れるという問題があった。
【００２９】
即ち、従来の画像表示装置が、図７の時点ｔ１より前で、無信号状態にあるとき、第５〜第７のスイッチＳＷ５〜ＳＷ７（図５参照）の可動接点は、図７Ａに示すように、Ｂ側固定接点に接続されており、図６に示す同期信号処理回路４０の両カウンタ４３，４４には、図７Ｂに示すように、クロック発生回路５２からの固定クロックＣＫｘが供給される。
【００３０】
そして、両カウンタ４３，４４に対応するデコーダ４６，４７から、図７Ｃに示すように、映像信号に同期しない、いわゆるフリーランの、水平および垂直の駆動信号ＨＤ，ＶＤが出力される。
【００３１】
また、図７Ｄに示すように、カラーバック発生回路３９の出力が、第５および第６のスイッチＳＷ５，ＳＷ６を通じて導出され、受像機には、例えば、青一色の単調な「カラーバック」画面が映出される。
【００３２】
時点ｔ１において、有信号状態に切り替わると、システム制御回路５１に制御されて、第５〜第７のスイッチＳＷ５〜ＳＷ７の可動接点は、図７Ａに示すように、Ｓ側固定接点に切り換えられて、同期信号処理回路４０の両カウンタ４３，４４には、図７Ｂに示すように、電圧制御発振回路４５のクロックＣＫｖが供給される。
【００３３】
また、カウンタ４３、デコーダ４６、位相比較回路４２、電圧制御発振回路４５を含んでＡＦＣループが形成され、このループは、図７Ｃに示すように、時点ｔ２までの期間、引き込み動作をする。
【００３４】
この引き込み期間中は、上述のように、色度デコーダ２８や色度信号処理回路３４の動作が不安定となって、受像機には、図７Ｄに示すように、非定常画が映出される。
【００３５】
そして、時点ｔ２を過ぎると、ＡＦＣループの引き込み動作が終わって、図７Ｃに示すように、定常動作となり、受像機には、図７Ｄに示すように、ラインまたはＶＴＲからの映像信号に対応する、定常画が映出されるようになる。
【００３６】
仮に、図７Ｃに示すような、同期信号処理回路４０のＡＦＣループの引き込み動作中に、スイッチＳＷ５，ＳＷ６を引き続きＢ側に接続して、カラーバック発生回路３９の出力を導出したとしても、従来の画像表示装置では、無信号状態と有信号状態とで、クロックＣＫｘとクロックＣＫｖとを切り換えることにより、単一の同期信号処理回路４０において、性質の異なる２種類の同期信号を生成しているので、安定なカラーバック画面を受像機に映出することができない。
【００３７】
かかる点に鑑み、この発明の目的は、無信号状態から有信号状態への遷移期間中に、受像機に安定なカラーバック画面を映出することができて、不安定な画像を確実に隠蔽することができる、画像表示装置を提供するところにある。
【００３８】
【課題を解決するための手段】
前記課題を解決するため、この発明による画像表示装置は、
入力映像信号に所定の処理を施す映像信号処理手段と、
適宜の絵柄および色彩に対応する所定の信号を発生する所定信号発生手段と、
上記入力映像信号に同期する第１の同期信号を発生するものであって、上記入力映像信号と上記同期信号との位相差を検出する位相比較回路と、上記位相比較回路で検出された位相差に応じた比較誤差出力により出力発振周波数が制御される可変周波数発振回路とを含み、上記第１の同期信号を上記映像信号処理手段に供給する同期信号処理手段と、
上記所定信号発生手段に供給する第２の同期信号を発生する同期信号発生手段と、
上記入力映像信号処理手段の出力と、上記所定信号発生手段の出力との一方を、選択制御信号に応じて択一的に選択して出力信号とする信号選択手段と、
上記信号選択手段に供給する上記選択制御信号を生成する選択制御手段と、
を備える画像表示装置であって、
上記選択制御手段は、
上記入力映像信号の有無を検出する映像信号検出手段と、
上記位相比較回路からの上記比較誤差出力に基づいて、上記第１の同期信号が上記入力映像信号に同期する状態に引き込まれているかどうかを判別する判別手段と
を備え、
上記選択制御手段からの上記選択制御信号により、上記信号選択手段は、
上記映像信号検出手段で上記入力映像信号の不存在が検出されたときには、上記所定信号発生手段からの上記所定の信号を上記出力信号として選択するように制御され、
上記信号選択手段からの上記出力信号が上記所定の信号とされているときに上記映像信号検出手段で上記入力映像信号の存在が検出されたときには、上記判別手段で、上記第１の同期信号が上記入力映像信号に同期する状態に引き込まれたと判別した後に、上記出力信号として上記映像信号処理手段からの出力を選択するように制御される
ことを特徴とする。
【００３９】
かかる構成の請求項１の発明による画像表示装置においては、同期信号処理手段の遷移期間中にも、所定信号発生手段から所定の信号が安定に発生されて、受像機には適宜の絵柄と色彩の所定画面が安定して映出される。
【００４２】
【発明の実施の形態】
以下、図１〜図４を参照しながら、この発明による画像表示装置を８ミリＶＴＲのデジタル信号処理部に適用した実施の形態について説明する。
【００４３】
［実施の形態の構成］
この発明の実施の形態の全体の構成を図１に示し、その要部の構成を図２および図３に示す。この図１および図２において、前出図５および図６に対応する部分には同一の符号を付ける。
【００４４】
図１において、ラインからの輝度信号Ｙが、入力端子１１を経て、第１の切換えスイッチＳＷ１のＡ側固定接点に供給されると共に、色度信号Ｃが、入力端子１２を経て、第２の切換えスイッチＳＷ２のＡ側固定接点に供給される。また、ラインからの複合映像信号は、入力端子１３を経て、両スイッチＳＷ１，ＳＷ２の各Ｂ側固定接点に共通に供給される。
【００４５】
第１のスイッチＳＷ１の可動接点が、Ａ−Ｄ変換器１４を経て、第３の切換えスイッチＳＷ３のＬ側固定接点に接続されると共に、第２のスイッチＳＷ２の可動接点は、Ａ−Ｄ変換器１５を経て、第４の切換えスイッチＳＷ４のＬ側固定接点に接続される。
【００４６】
一方、再生磁気ヘッド２１の出力が、増幅回路２２を経て、高域フィルタ２３および低域フィルタ２４に共通に供給されて、輝度信号成分と色度信号成分とに分離される。
高域フィルタ２３からのアナログ輝度信号成分は、Ａ−Ｄ変換器２５を経て、デジタル化されてＲＦ復調回路２６に供給され、ＲＦ復調回路２６のベースバンドの復調出力が切換えスイッチＳＷ３のＶ側固定接点に供給される。
【００４７】
また、低域フィルタ２４からのアナログ色度信号成分は、Ａ−Ｄ変換器２７を経て、デジタル化されて色度デコーダ２８に供給され、色度デコーダ２８のベースバンドの出力が切換えスイッチＳＷ４のＶ側固定接点に供給される。
【００４８】
なお、第１および第２のスイッチＳＷ１，ＳＷ２と、第３および第４のスイッチＳＷ３，ＳＷ４とは、視聴者による、ライン入力またはＶＴＲ再生の選択に応じて、適宜に切り換えられる。
【００４９】
第３のスイッチＳＷ３の可動接点からのデジタル輝度信号は、輝度信号処理回路３１に供給されて、ノイズキャンセルや輪郭補正などの処理が施される。この処理回路３１は、輝度信号検出機能と色度信号除去機能とを備える。
【００５０】
処理回路３１から出力された輝度信号は、第５の切換えスイッチＳＷ５のＳ側固定接点および可動接点を経て、Ｄ−Ａ変換器３２に供給され、Ｄ−Ａ変換器３２からアナログ輝度信号Ｙが導出されると共に、この輝度信号Ｙが加算回路３３に供給される。
【００５１】
また、第４のスイッチＳＷ４の可動接点からのデジタル色度信号は、色度信号処理回路３４に供給されて、ＡＣＣやＡＣＫなどの処理が施される。この処理回路３４は、輝度信号除去機能を備える。
【００５２】
処理回路３４から出力された色度信号は、第６の切換えスイッチＳＷ６のＳ側固定接点および可動接点と色度エンコーダ３５とを経て、Ｄ−Ａ変換器３６に供給され、Ｄ−Ａ変換器３６からはアナログ色度信号Ｃが導出されると共に、この色度信号Ｃが加算回路３３に供給されて、加算回路３３からは複合映像信号が導出される。
【００５３】
そして、第５および第６のスイッチＳＷ５，ＳＷ６のＢ側固定接点には、カラーバック信号発生回路３９において生成されるデジタル輝度信号Ｙおよびデジタル色度信号Ｃが供給される。
上述のような構成は、前出図５に示した従来例と同様である。
【００５４】
図１の実施の形態では、第３のスイッチＳＷ３の可動接点からのデジタル輝度信号が、後に詳述する同期信号処理回路４０Ａにも供給されて、この同期信号処理回路４０Ａにおいて生成された水平および垂直の駆動信号ＨＤ，ＶＤが、信号処理のタイミング基準として、色度デコーダ２８、輝度信号処理回路３１、色度信号処理回路３４に供給される。
【００５５】
また、同期信号処理回路４０Ａにおいて生成されたクロックＣＫｖが、同期信号処理回路４０Ａ内のカウンタに直接に供給される。
【００５６】
そして、図１の実施の形態では、輝度信号処理回路３１において生成された輝度信号検出信号Ｓｄがシステム制御回路（マイクロコンピュータ）５１に供給されると共に、同期信号処理回路４０Ａにおいて生成される位相誤差信号Ｓｐがシステム制御回路５１に供給される。システム制御回路５１は、位相誤差信号Ｓｐと検出信号Ｓｄとに基づいて、第５および第６のスイッチＳＷ５，ＳＷ６を制御する。
【００５７】
ラインまたはＶＴＲからの映像信号が存在する「有信号」状態では、第５および第６のスイッチＳＷ５，ＳＷ６が、図１に示すように、Ｓ側固定接点に接続されて、各スイッチＳＷ５，ＳＷ６から、ラインまたはＶＴＲの映像信号に対応する輝度信号および色度信号が導出される。
【００５８】
また、無信号状態では、第５および第６のスイッチＳＷ５，ＳＷ６の可動接点が、図示とは逆に、それぞれＢ側固定接点に切り換えられて、映像信号処理系が非動作状態とされ、第５および第６のスイッチＳＷ５，ＳＷ６から、カラーバック信号発生回路３９による輝度信号および色度信号が導出される。
【００５９】
更に、図１の実施の形態では、カラーバック信号発生回路３９に専用に、後に詳述する同期信号発生回路６０が設けられる。この同期信号発生回路６０には、クロック発生回路５２の固定クロックＣＫｘが常時供給されて、前述のような遷移期間中も、安定な同期信号がカラーバック信号発生回路３９に供給される。
【００６０】
図２に示すように、同期信号処理回路４０Ａは、同期分離回路４１および位相比較回路４２と、２つのカウンタ４３，４４と、電圧制御発振回路（ＶＣＯ）４５とを含んで構成される。
【００６１】
ＮＴＳＣ方式の場合は、図２に示すように、第１のカウンタ４３の設定カウント数ＮPXが［９１０］とされると共に、第２のカウンタ４４の設定カウント数ＮLNが［５２５］とされる。
なお、ＰＡＬ方式の場合は、カウンタ４３の設定カウント数ＮPXが［９０８］とされると共に、カウンタ４４の設定カウント数ＮLNが［６２５］とされる。
【００６２】
前述のように、第３のスイッチＳＷ３からのデジタル輝度信号が同期分離回路４１および位相比較回路４２に共通に供給されると共に、電圧制御発振回路４５からのクロックが両カウンタ４３，４４に共通に供給される。
【００６３】
第１のカウンタ４３のカウント値がデコーダ４６においてデコードされて、水平駆動信号ＨＤが生成される。この水平駆動信号ＨＤは位相比較回路４２に供給され、生成された位相誤差信号Ｓｐが電圧制御発振回路４５に供給されて、ラインまたはＶＴＲによる映像信号にクロックＣＫｖがロック（位相同期）するように、その周波数（および位相）が制御される。
【００６４】
この周波数制御（ＡＦＣ）の方向は、ラインまたはＶＴＲからの映像信号の位相が水平駆動信号ＨＤの位相より早い場合に、電圧制御発振回路４５の周波数を上げる方向とされ、逆に、映像信号の位相が水平駆動信号ＨＤの位相より遅い場合には、電圧制御発振回路４５の周波数を下げる方向とされる。
【００６５】
また、デコーダ４６においては、水平駆動信号ＨＤの２倍の周波数のＨＨパルスも生成され、このＨＨパルスが、イネイブル信号として、カウンタ４４に供給される。
【００６６】
そして、ＮＴＳＣ方式の場合、カウンタ４４が５２５個のＨＨパルスを数えるたびに、換言すれば、１フィールドごとに、そのカウント値がデコーダ４７においてデコードされて、垂直駆動信号ＶＤが生成される。
【００６７】
更に、この実施の形態では、位相比較回路４２において生成された位相誤差信号Ｓｐがシステム制御回路５１にも供給される。
【００６８】
また、図３に示すように、同期信号発生回路６０は、２つのカウンタ６１，６２と、それぞれに対応するデコーダ６３，６４とから構成される。
【００６９】
ＮＴＳＣ方式の場合は、図３に示すように、第１のカウンタ６１の設定カウント数ＮPXが［９１０］とされると共に、第２のカウンタ６２の設定カウント数ＮLNが［５２５］とされる。
なお、ＰＡＬ方式の場合は、カウンタ６１の設定カウント数ＮPXが［９０８］とされると共に、カウンタ６２の設定カウント数ＮLNが［６２５］とされる。
【００７０】
前述のように、クロック発生回路５２からの固定クロックＣＫｘが両カウンタ６１，６２に共通に供給され、第１のカウンタ６１のカウント値がデコーダ６３においてデコードされて、水平駆動信号ＨＤが生成される。
【００７１】
また、デコーダ６３においては、水平駆動信号ＨＤの２倍の周波数のＨＨパルスも生成され、このＨＨパルスが、イネイブル信号として、カウンタ６２に供給される。
【００７２】
そして、ＮＴＳＣ方式の場合、カウンタ６２が５２５個のＨＨパルスを数えるたびに、換言すれば、１フィールドごとに、そのカウント値がデコーダ６４においてデコードされて、垂直駆動信号ＶＤが生成される。
【００７３】
［遷移期間の画像表示］
次に、図４をも参照しながら、この発明の実施の形態の無信号状態から有信号状態への遷移期間における画像表示について説明する。
【００７４】
この実施の形態の画像表示装置が、図４の時点ｔ１より前で、無信号状態にあるとき、同期信号処理回路４０Ａ（図２参照）には、ラインまたはＶＴＲからの映像信号が供給されず、位相比較回路４２が機能しないので、電圧制御発振回路４５、従って、同期信号処理回路４０Ａは、図４Ａに示すように、映像信号に同期しない、フリーランの状態となる。
【００７５】
このフリーラン状態で、位相比較回路４２から出力される誤差信号Ｓｐは、図４Ｂに示すように、［０］レベルである。
また、第５および第６のスイッチＳＷ５，ＳＷ６（図１参照）の可動接点は、図４Ｃに示すように、Ｂ側固定接点に接続されている。
【００７６】
そして、第５および第６のスイッチＳＷ５，ＳＷ６を通じて、カラーバック発生回路３９の出力が導出され、図４Ｄに示すように、受像機には、例えば、青一色の単調な「カラーバック」画面が映出される。
【００７７】
時点ｔ１において、有信号状態に切り替わり、ラインまたはＶＴＲからの映像信号が供給されると、図４Ａに示すように、同期信号処理回路４０ＡのＡＦＣループが引き込み動作を始め、時点ｔ２まで、引き込み動作期間が継続する。
【００７８】
この引き込み動作の開始時点ｔ１において、位相比較回路４２から出力される誤差信号Ｓｐは、図４Ｂに示すように、高レベルとなり、時間の経過に伴って、レベルが低下し、所定のしきい値を下回るようになる。
【００７９】
この実施の形態では、位相比較回路４２からの誤差信号Ｓｐのレベルが、システム制御回路５１によりチェックされており、有信号状態に切り替わっても、誤差信号Ｓｐのレベルが所定のしきい値以上である場合は、システム制御回路５１に制御されて、図４Ｃに示すように、第５および第６のスイッチＳＷ５，ＳＷ６の可動接点は、引き続いて、Ｂ側固定接点に接続される。
【００８０】
また、受像機には、図４Ｄに示すように、例えば、青一色の単調な「カラーバック」画面が引き続いて映出される。
従って、従来例のように、色度デコーダ２８や色度信号処理回路３４の動作が過渡的に不安定であっても、乱れた画像が受像機に映出されることはない。
【００８１】
そして、時点ｔ２において、ＡＦＣループの引き込み動作が終わって、図４Ａに示すように、同期信号処理回路４０Ａは定常動作となり、位相比較回路４２から出力される誤差信号Ｓｐのレベルは、図４Ｂに示すように、所定のしきい値を下回るようになる。
【００８２】
この所定のしきい値を下回る誤差信号Ｓｐのレベルが、システム制御回路５１により検出されると、システム制御回路５１からの制御信号によって、第５および第６のスイッチＳＷ５，ＳＷ６の可動接点が、図４Ｃに示すように、Ｓ側固定接点に切り換えられ、受像機には、図４Ｄに示すように、ラインまたはＶＴＲからの映像信号に対応する、定常画が映出されるようになる。
【００８３】
上述のように、この実施の形態では、カラーバック信号発生回路３９に専用の同期信号発生回路６０を設けて、クロック発生回路５２の固定クロックＣＫｘを常時供給するようにしたので、無信号状態から有信号状態への遷移期間中にも、安定な同期信号がカラーバック信号発生回路３９に供給されて、受像機には安定なカラーバック画面が映出される。
【００８４】
また、この実施の形態では、無信号状態から有信号状態への遷移期間中、位相比較回路４２からの誤差信号Ｓｐのレベルに基づいて、同期信号処理回路４０ＡのＡＦＣループの引き込み終了を確実に検出すると共に、この引き込み終了検出に応じて、送出信号をカラーバック信号から映像信号に切り換えるようにしたので、色度デコーダ２８や色度信号処理回路３４の動作が過渡的に不安定であっても、受像機画面では、不安定な画像が確実に隠蔽される。
【００８５】
［他の実施の形態］
前述の実施の形態では、カラーバック画面が、例えば、青一色の単調な画面であるとしたが、色彩と絵柄は任意に設定することができる。
【００８６】
また、前述の実施の形態では、この発明を８ミリＶＴＲのデジタル信号処理部に適用した場合について説明したが、この発明は、ビデオディスク再生装置、テレビジョン受信機、受像機などのデジタル信号処理部にも、同様に適用することができる。
【００８７】
【発明の効果】
以上説明したように、請求項１の発明によれば、無信号状態から有信号状態に切り替わる場合、同期信号処理手段の遷移期間中にも、受像機に安定なカラーバック画面を映出することができる。
【００８８】
また、請求項２の発明によれば、同期信号処理手段の遷移期間の終了を確実に判別することができる。
【図面の簡単な説明】
【図１】この発明による画像表示装置の実施の形態の全体の構成を示すブロック図である。
【図２】この発明の実施の形態の要部の構成を示すブロック図である。
【図３】この発明の実施の形態の他の要部の構成を示すブロック図である。
【図４】この発明の実施の形態の遷移期間の画像表示を説明するためのタイムチャートである。
【図５】従来の画像表示装置の全体の構成例を示すブロック図である。
【図６】従来例の要部の構成を示すブロック図である。
【図７】従来例の遷移期間の画像表示を説明するためのタイムチャートである。
【符号の説明】
１１〜１３…入力端子、２１…再生ヘッド、２６…ＲＦ復調回路、２８…色度デコーダ、３１…輝度信号処理回路、３４…色度信号処理回路、３５…色度エンコーダ、３９…カラーバック信号発生回路、４０Ａ…同期信号処理回路、４１…同期分離回路、４２…位相比較回路、４３，４４…カウンタ、４５…電圧制御発振回路（ＶＣＯ）、５１…システム制御回路（マイクロコンピュータ）、５２…クロック発生回路、６０…同期信号発生回路、６１，６２…カウンタ、ＣＫｖ…ＶＣＯクロック、ＣＫｘ…固定クロック、Ｓｄ…映像検出信号、Ｓｐ…位相検出信号、ＳＷ１〜ＳＷ６…切換えスイッチ
【図１】
0003865015.tif 000002
【図２】
0003865015.tif 000003
【図３】
0003865015.tif 000004
【図４】
0003865015.tif 000005
【図５】
0003865015.tif 000006
【図６】
0003865015.tif 000007
【図７】
0003865015.tif 000008